(57)【要約】【課題】本発明は、他の機器の電源を確保しつつノイズを低減して良好に電力線搬送通信（ＰＬＣ）が可能である電力搬送通信用配線器具を提供する。【解決手段】本発明の電力線搬送通信用配線器具Ａ１は、先端の電源プラグ４ａをコンセントに差込接続することで建物の電力線と接続され、ＰＬＣを行うための配線器具であって、結合回路６、送受信部７及びモデム８を備えるＰＬＣを行うための電力線搬送通信用モデム、互いに並列に接続され電源ケーブル４を介して電力線に接続される複数対の刃受け２、２、上記電力線搬送通信用モデムのコモンモードノイズを遮断するためのコモンモードチョークコイル１２、及び、ＰＬＣの通信帯域を遮断するためのフィルタ回路１３を備え、コモンモードチョークコイル１２は、電源ケーブル４と上記電力線搬送通信用モデムとの間に介設され、フィルタ回路１３は、電源ケーブル４と複数対の刃受け２、２との間に介設される。【選択図】図２
2008072749.tif 000002
【特許請求の範囲】
【請求項１】
先端に付設された電源プラグをコンセントに差込接続することで建物に配線された電力線と接続される電源ケーブルと、
前記電源ケーブルが内部に引き込まれるハウジングと、
前記ハウジング内に収納され、前記電源ケーブルを介して前記電力線に接続される一対の電路と、
前記ハウジング内に収納されると共に前記一対の電路に接続されるコモンモードチョークコイルと、
前記ハウジング内に収納され、前記一対の電路に前記コモンモードチョークコイルを介して接続される、前記電力線を介して電力線搬送通信の通信信号を変復調する電力線搬送通信用モデムと、
前記ハウジング内に収納され、前記電力線搬送通信用モデムと通信機器とのインタフェースを行う通信インタフェースと、
前記ハウジングの表面に設けられ、前記通信機器と前記通信インタフェースとを接続する通信ケーブルが挿抜自在に挿着されるコネクタと、
前記ハウジング内に収納されると共に前記一対の電路に接続され、前記電力線搬送通信の通信帯域を遮断するためのフィルタ回路と、
前記ハウジング内に収納されると共に前記一対の電路に前記フィルタ回路を介して接続される、互いに並列に接続された複数対の刃受けとを備え、
前記コモンモードチョークコイルは、前記電力線搬送通信用モデムのコモンモードノイズを遮断し、
前記フィルタ回路は、コモンモードノイズ及びノーマルモードノイズを遮断し、
他の機器の電源プラグの栓刃を挿入して前記刃受けに接続するための複数対の栓刃挿入口がハウジングの表面に設けられたこと
を特徴とする電力線搬送通信用配線器具。
【請求項２】
前記電源ケーブルと前記コモンモードチョークコイルとの間に介設され、前記電源ケーブルから前記電力線搬送通信用モデムへの給電をオンオフするための第１スイッチをさらに備えること
を特徴とする請求項１に記載の電力線搬送通信用配線器具。
【請求項３】
前記複数対の刃受けが前記フィルタ回路を介して前記電力線搬送通信用モデムに接続されるか前記フィルタ回路を介せず前記電力線搬送通信用モデムに接続されるかを切り換える第２スイッチをさらに備えること
を特徴とする請求項１又は請求項２に記載の電力線搬送通信用配線器具。
【請求項４】
前記第２スイッチは、前記複数対の刃受けごとに設けられていること
を特徴とする請求項３に記載の電力線搬送通信用配線器具。
【請求項５】
前記電力線搬送通信は、２ＭＨｚ〜３０ＭＨｚの周波数帯の通信信号を用いて通信を行う高速電力線搬送通信であること
を特徴とする請求項１乃至請求項４の何れか１項に記載の電力線搬送通信用配線器具。
【発明の詳細な説明】
【技術分野】
【０００１】
本発明は、オフィスや住宅等の建物に配線された電力線を利用してデータ通信を行うための電力線搬送通信用配線器具に関する。
【背景技術】
【０００２】
近年、オフィスや住宅においても複数台のコンピュータをつないだローカル・エリア・ネットワーク（Local Area Network、以下、「ＬＡＮ」と略記する。）が急速に普及している。このようなＬＡＮにおいてコンピュータ間を接続する通信媒体として、通常、通信ケーブル（いわゆるＬＡＮケーブル）が用いられるが、既設のオフィスや住宅に新たにＬＡＮを導入する場合には、配線工事の手間や費用を考慮して電波による無線方式が採用される場合もある（例えば、特許文献１参照）。
【特許文献１】特開２００５−７９９７７号公報
【発明の開示】
【発明が解決しようとする課題】
【０００３】
ところで、従来より給電用の配線（電力線）を利用してデータ通信を行う電力線通搬送信（Power Line Communication、以下、「ＰＬＣ」と略記する。）が提案されているが、かかるＰＬＣには、商用周波数の電力波形に商用周波数よりも高い周波数のＰＬＣの通信信号を重畳して送信すると共にこの電力波形からこの高い周波数のＰＬＣの通信信号を分離して受信する装置（ＰＬＣモデム）が必要であり、このようなＰＬＣモデムは、電源コードを介して壁面に設けられたコンセントに接続されるとともに通信ケーブルを介してコンピュータ等の通信機器に接続される。しかしながら、ＰＬＣモデムがコンセントを占有してしまうと、コンピュータや他の機器がコンセントを利用できなくなるため、その電源の供給を受けることが困難になってしまう。
【０００４】
また、電力線は、５０Ｈｚや６０Ｈｚの商用周波数の電流が流れることを前提に設計されているため、高い周波数であるＰＬＣの通信信号が流れるとＰＬＣの通信信号が輻射して輻射ノイズを発生し、他の機器に影響を与えてしまう。特に、近年、インターネット等の高速通信に対応可能とすること等を目的として法規制の緩和が検討されており、従来、ＰＬＣで使用可能な１０ｋＨｚ〜４５０Ｈｚの周波数帯に加えて、より高周波数の２ＭＨｚ〜３０ＭＨｚの周波数帯の使用が検討されている。２ＭＨｚ〜３０ＭＨｚの周波数帯の通信信号を用いてＰＬＣを行う高速ＰＬＣでは、１０ｋＨｚ〜４５０ｋＨｚの周波数帯の通信信号を用いてＰＬＣを行う低速ＰＬＣよりもＰＬＣの通信信号による電力線からの輻射が増大する。
【０００５】
また、逆に、コンセントを介して電力線に接続された機器や電力線の付近に配置された機器等の他の機器に起因したノイズが電力線に乗る場合があり、このようなノイズに対する対策も必要である。
【０００６】
本発明は、上記事情に鑑みてなされたものであり、他の機器の電源を確保しつつノイズを低減して良好にＰＬＣが可能である電力搬送通信用配線器具を提供することを目的とする。
【課題を解決するための手段】
【０００７】
本発明者は、種々検討した結果、上記目的は、以下の本発明により達成されることを見出した。即ち、本発明の一態様にかかる電力線搬送通信用配線器具は、先端に付設された電源プラグをコンセントに差込接続することで建物に配線された電力線と接続される電源ケーブルと、前記電源ケーブルが内部に引き込まれるハウジングと、前記ハウジング内に収納され、前記電源ケーブルを介して前記電力線に接続される一対の電路と、前記ハウジング内に収納されると共に前記一対の電路に接続されるコモンモードチョークコイルと、前記ハウジング内に収納され、前記一対の電路に前記コモンモードチョークコイルを介して接続される、前記電力線を介して電力線搬送通信の通信信号を変復調する電力線搬送通信用モデムと、前記ハウジング内に収納され、前記電力線搬送通信用モデムと通信機器とのインタフェースを行う通信インタフェースと、前記ハウジングの表面に設けられ、前記通信機器と前記通信インタフェースとを接続する通信ケーブルが挿抜自在に挿着されるコネクタと、前記ハウジング内に収納されると共に前記一対の電路に接続され、前記電力線搬送通信の通信帯域を遮断するためのフィルタ回路と、前記ハウジング内に収納されると共に前記一対の電路に前記フィルタ回路を介して接続される、互いに並列に接続された複数対の刃受けとを備え、記コモンモードチョークコイルは、前記電力線搬送通信用モデムのコモンモードノイズを遮断し、前記フィルタ回路は、コモンモードノイズ及びノーマルモードノイズを遮断し、他の機器の電源プラグの栓刃を挿入して前記刃受けに接続するための複数対の栓刃挿入口がハウジングの表面に設けられたことを特徴とする。
【０００８】
この構成によれば、複数対の刃受けを備えるため複数対の刃受けを介して他の機器に給電することができ、コモンモードチョークコイルを備えるため電力線搬送通信用モデムで生じたコモンモードノイズが電源ケーブルや電力線へ流出することが抑制されて輻射ノイズが低減され、また、フィルタ回路を備えるため他の機器が一対の刃受けを介して接続された場合に当該他の機器で生じたノイズが当該一対の刃受けを介して電力線搬送用通信モデムへ流入することが抑制される。さらに、フィルタ回路がコモンモードノイズ及びノーマルモードノイズを遮断するので、他の機器が一対の刃受けを介して接続された場合に当該他の機器で生じたコモンモードノイズ及びノーマルモードノイズが当該一対の刃受けを介して電力線搬送用通信モデムへ流入することが抑制される。このため、他の機器の電源を確保しつつノイズを低減して良好にＰＬＣが可能となる。
【０００９】
そして、上述の電力線搬送通信用配線器具において、前記電源ケーブルと前記コモンモードチョークコイルとの間に介設され、前記電源ケーブルから前記電力線搬送通信用モデムへの給電をオンオフするための第１スイッチをさらに備えることを特徴とする。
【００１０】
この構成によれば、電源ケーブルとコモンモードチョークコイルとの間に、電源ケーブルから電力線搬送通信用モデムへの給電をオンオフするための第１スイッチがさらに設けられているので、電力線搬送通信用モデムの使用を予定していない場合にこの第１スイッチをオフ状態とすることで電力線搬送通信用モデムの待機電力をゼロにすることが可能となる。
【００１１】
また、これら上述の電力線搬送通信用配線器具において、前記複数対の刃受けが前記フィルタ回路を介して前記電力線搬送通信用モデムに接続されるか前記フィルタ回路を介せず前記電力線搬送通信用モデムに接続されるかを切り換える第２スイッチをさらに備えることを特徴とする。
【００１２】
この構成によれば、複数対の刃受けがフィルタ回路を介して電力線搬送通信用モデムに接続されるかフィルタ回路を介せず電力線搬送通信用モデムに接続されるかを切り換える第２スイッチがさらに備えられているので、一対の刃受けに通信機器が接続された場合に、複数対の刃受けがフィルタ回路を介せず電力線搬送通信用モデムに接続されるように第２スイッチを切り換えることで、当該通信機器と電力線搬送通信が可能となる。
【００１３】
さらに、この上述の電力線搬送通信用配線器具において、前記第２スイッチは、前記複数対の刃受けごとに設けられていることを特徴とする。
【００１４】
この構成によれば、前記第２スイッチが複数対の刃受けごとに設けられているので、一対の刃受けごとに当該一対の刃受けがフィルタ回路を介して電力線搬送通信用モデムに接続されるかフィルタ回路を介せず電力線搬送通信用モデムに接続されるかを切り換えることができる。このため、一対の刃受けに通信機器が接続された場合に、当該一対の刃受けがフィルタ回路を介せず電力線搬送通信用モデムに接続されるように当該一対の刃受けに対応する第２スイッチを切り換えることで、当該通信機器と電力線搬送通信が可能となる。さらに、他の一対の刃受けに機器が接続された場合に、当該他の一対の刃受けがフィルタ回路を介して電力線搬送通信用モデムに接続されるように当該他の一対の刃受けに対応する第２スイッチを切り換えることで、当該機器で生じたノイズが当該他の一対の刃受けを介して電力線搬送用通信モデムへ流入することが抑制可能となる。
【００１５】
また、これら上述の電力線搬送通信用配線器具において、前記電力線搬送通信は、２ＭＨｚ〜３０ＭＨｚの周波数帯の通信信号を用いて通信を行う高速電力線搬送通信であることを特徴とする。
【発明の効果】
【００１６】
本発明の電力線搬送通信用配線器具では、他の機器の電源を確保しつつノイズを低減して良好にＰＬＣが可能となる。
【発明を実施するための最良の形態】
【００１７】
以下、本発明に係る実施形態を図面に基づいて説明する。なお、各図において同一の符号を付した構成は、同一の構成であることを示し、その説明を省略する。
（第１の実施形態）
図１は、実施形態における電力線搬送通信用配線器具の外観構成を示す斜視図である。図１（Ａ）は、第１の外観構成を示し、図１（Ｂ）は、第２の外観構成を示す。図２は、第１の実施形態における電力線搬送通信用配線器具の回路構成を示す回路ブロック図である。
【００１８】
本実施形態の電力線搬送通信用配線器具Ａ１は、図１（Ａ）に示すように先端に付設された電源プラグ４ａをコンセントに差込接続することで建物に配線された電力線と接続される電源ケーブル４と、略箱形に形成され電源ケーブル４が内部に引き込まれるハウジング１とを備える。
【００１９】
ハウジング１は、細長い略箱形の合成樹脂成型品からなり、後端面から電源ケーブル４が引き込まれると共に、先端面には、通信ケーブル（例えばＣＡＴ５のＬＡＮケーブルやＣＡＴ６のＬＡＮケーブル等）の先端に付設されているコネクタ（例えばＲＪ−４５のモジュラプラグ）が挿抜自在に接続される受け側コネクタ（上記例ではＲＪ−４５のモジュラジャック）３の差込口３ａが露出している。また、ハウジング１の上面には、他の機器の電源プラグの栓刃が挿入される複数対（図１（Ａ）に示す例では４対）の栓刃挿入口２ａ、２ａが列設され、ハウジング１内には、栓刃挿入口２ａ、２ａに挿入された栓刃を受ける複数対（図１（Ａ）及び図２に示す例では４対）の刃受け２、２が収納されている。さらに、ハウジング１上面には、表示素子（例えば発光ダイオード）ＬＤが露出している。
【００２０】
なお、コネクタが差込口３ａに差し込まれていない場合に埃等が入らないようにするために、例えば、前方へ突出する操作つまみが突設された、上下方向に移動自在である扉によって開閉自在に閉塞されるように、差込口３ａが構成されてもよい。
【００２１】
図２において、電源ケーブル４を介して電力線に接続される一対の電路に、互いに並列に接続された複数対の刃受け２、２が接続されるとともに、結合回路６が接続され、さらに電源部５が接続されている。
【００２２】
結合回路６は、商用電源周波数成分をカットするコンデンサＣ１、Ｃ２及び絶縁トランスＴを備え、絶縁トランスＴの１次側がコンデンサＣ１、Ｃ２を介して上記一対の電路に接続され、絶縁トランスＴの２次側が送受信部７に接続されている。
【００２３】
送受信部７は、絶縁トランスＴの２次側に接続されることで、電力線との間でＰＬＣの通信信号を送受信する回路であり、モデム８と接続されている。送受信部７は、受信回路７ａと送信回路７ｂとを備えて構成され、受信回路７ａは、例えば、絶縁トランスＴの２次側に接続され、ＰＬＣの通信周波数帯域を透過するバンドパスフィルタと、バンドパスフィルタの出力を増幅してモデム８へ出力する増幅器とを備えて構成され、送信回路７ｂは、例えば、モデム８に接続され、ＰＬＣの通信周波数帯域を透過するバンドパスフィルタと、バンドパスフィルタの出力を増幅して絶縁トランスＴの２次側へ出力する増幅器とを備えて構成される。
【００２４】
モデム８は、送受信部７からのＰＬＣの通信信号Ｒｘからデータ信号を復調すると共に送信データをＰＬＣの通信信号Ｔｘに変調する復調する回路であり、制御回路１０に接続されている。
【００２５】
このような結合回路６、送受信部７及びモデム８を少なくとも備えることによって、電源ケーブル４に接続された電力線を介してＰＬＣの通信信号を変復調する電力線搬送通信用モデムが構成され、商用周波数の電力波形に商用周波数よりも高い周波数のＰＬＣの通信信号が重畳されて送信されると共に、この電力波形からこの高い周波数のＰＬＣの通信信号が分離されて受信される。
【００２６】
また、ハウジング１には、モジュラジャック３に接続される通信ケーブルを介して通信機器との間で例えば１００ＢＡＳＥ−ＴＸなどの規格に準拠してデータ伝送を行うためのＬＡＮコントローラ９が収納されており、ＬＡＮコントローラ９は、制御回路１０に接続されている。
【００２７】
制御回路１０は、例えば、マイクロプロセッサ及びその周辺回路を備えて構成され、ＰＬＣを行うために、送受信部７、モデム８及びＬＡＮコントローラ９等を制御する回路である。制御回路１０は、例えばモデム８とＬＡＮコントローラ９との間で授受するデータ（パケット）のフィルタリング等のセキュリティ機能や、データ伝送中であることを知らせるために表示回路１１を制御して表示回路１１が有する表示素子ＬＤを発光させる機能等を有している。
【００２８】
電源部５は、電源プラグ４ａをコンセントに差込接続することで接続される電力線から電源ケーブル４を介して給電される商用交流電源から直流電源を生成し、例えば、送受信部７、モデム８、ＬＡＮコントローラ９、制御回路１０及び表示回路１１等の各回路へ、これら各回路を動作させるために、直流電力を供給する回路である。電源部５は、例えば、ＰＬＣの通信周波数帯域に対して高インピーダンスになるインピーダンスアッパ回路５ａと、ＡＣ−ＤＣコンバータからなる電源回路５ｂとを備えて構成される。
【００２９】
そして、注目すべきは、好適に高速ＰＬＣに対応するために、電源ケーブル４と上記電力線搬送通信用モデム（少なくとも結合回路６、送受信部７及びモデム８を含む。以下同じ）との間にこの電力線搬送通信用モデムのコモンモードノイズを遮断するためのコモンモードチョークコイル１２が介設されていることである。より具体的には、電源ケーブル４と結合回路６との間にコモンモードチョークコイル１２が介設されている。また、注目すべきは、好適に高速ＰＬＣに対応するために、電源ケーブル４と互いに並列に接続された複数対の刃受け２、２との間に、ＰＬＣの通信周波数帯域を遮断するためのフィルタ回路１３が介設されていることである。
【００３０】
これら複数対の刃受け２、２、電源部５、電力線搬送通信用モデム（結合回路６、送受信部７、モデム８）、ＬＡＮコントローラ９、制御回路１０、表示回路１１、コモンモードチョークコイル１２及びフィルタ回路１３は、ハウジング１内に収納されている。
【００３１】
而して、第１の実施形態の電力線搬送通信用配線器具Ａ１は、モジュラジャック３に接続される通信ケーブル４を介してコンピュータ等の通信機器によりＰＬＣを行うことができ、しかも、ハウジング１上面に設けられた栓刃挿入口２ａ、２ａにコンピュータ等の機器の電源プラグの栓刃を挿入すれば、ハウジング１内の一対の刃受け２、２並びに電源ケーブル４を介して当該機器に給電することが可能である。また、上記電力線搬送通信用モデムで生じたコモンモードノイズは、コモンモードチョークコイルによって電源ケーブルや電力線へ流出することが抑制されて輻射ノイズが低減される。特に、高速ＰＬＣに対して効果的である。そして、他の機器が一対の刃受け２、２を介して接続された場合に当該他の機器で生じたノイズが当該一対の刃受け２、２を介して上記電力線搬送用通信モデムへ流入することが抑制される。特に、高速ＰＬＣに対して効果的である。このため、本実施形態の電力線搬送通信用配線器具Ａ１は、他の機器の電源を確保しつつノイズを低減して良好にＰＬＣが可能となる。特に、高速ＰＬＣの場合に良好にＰＬＣが可能となる。
【００３２】
なお、本実施形態の電力線搬送通信用配線器具Ａ１は、図１（Ａ）に示す細長い略箱形のハウジング１を備えて構成されたが、図１（Ｂ）に示す幅広の扁平な略箱形のハウジング１’を備えて構成されてもよい。ハウジング１’を備える電力線搬送通信用配線器具Ａ１では、ハウジング１’の後端面から電源ケーブル４が引き込まれると共に、ハウジング１’の一方側面に受け側コネクタ３が設けられている。また、ハウジング１の上面には、複数対（図１（Ｂ）に示す例では３対）の栓刃挿入口２ａ、２ａが横列設され、そして、ハウジング１上面には、表示素子（例えば発光ダイオード）ＬＤが露出している。
【００３３】
さらに、図１（Ｂ）に示すハウジング１’を備える電力線搬送通信用配線器具Ａ１では、ハウジング１’の上面に放熱のためのスリット状の複数の孔１ａ’が設けられ、ハウジング１’の一方側面に、当該電力線搬送通信用配線器具Ａ１を親局に設定するか子局に設定するかを選択する選択スイッチ２３のつまみ２３ａが露出していると共に、選択スイッチ２３の設定をリセットするリセットスイッチを操作するための操作孔２２が設けられ、ハウジング１’の前端面に、通信信号の暗号化キーを設定するための押しボタンスイッチ２４が設けられている。
【００３４】
次に、別の実施形態について説明する。
（第２の実施形態）
図３は、第２の実施形態における電力線搬送通信用配線器具の回路構成を示す回路ブロック図である。第２の実施形態における電力線搬送通信用配線器具Ａ２の基本構成は、第１の実施形態の電力線搬送通信用配線器具Ａ１とほぼ共通であるから、共通の構成要素には同一の符号を付してその説明を省略する。
【００３５】
第２の実施形態は、電源ケーブル４から上記電力線搬送通信用モデムへの給電をオンオフするための第１スイッチ１４をさらに備えることに特徴がある。
【００３６】
この第１スイッチ１４は、図３に示すように、電源ケーブル４とコモンモードチョークコイル１２との間に介設され、図１（Ａ）及び図１（Ｂ）に破線で示すように、ハウジング１、１’の表面にこの第１スイッチ１４の操作つまみ１４ａが露出している。
【００３７】
而して、第２の実施形態の電力線搬送通信用配線器具Ａ２は、第１の実施形態の電力線搬送通信用配線器具Ａ１の作用効果に加えて、電源ケーブル４とコモンモードチョークコイル１３との間に第１スイッチ１４がさらに設けられているので、上記電力線搬送通信用モデムの使用を予定していない場合にこの第１スイッチ１４をオフ状態とすることで上記電力線搬送通信用モデムの待機電力をゼロにすることができる。
【００３８】
次に、別の実施形態について説明する。
（第３の実施形態）
図４は、第３の実施形態における電力線搬送通信用配線器具の回路構成を示す回路ブロック図である。第３の実施形態における電力線搬送通信用配線器具Ａ３の基本構成は、第２の実施形態の電力線搬送通信用配線器具Ａ２とほぼ共通であるから、共通の構成要素には同一の符号を付してその説明を省略する。
【００３９】
第３の実施形態は、複数対の刃受け２、２がフィルタ回路１３を介して上記電力線搬送通信用モデムに接続されるかフィルタ回路１３を介せず上記電力線搬送通信用モデムに接続されるかを切り換える第２スイッチ１５をさらに備えることに特徴がある。
【００４０】
第２スイッチ１５は、図４に示すように、フィルタ回路１３に並列に接続されて設けられており、互いに並列に接続されている複数対の刃受け２、２がフィルタ回路１３を迂回して、第１スイッチ１４の電源ケーブル４側で、電源ケーブル４を介して電力線に接続される一対の電路に接続されている。そして、第２スイッチ１５は、ハウジング１、１’の表面に第２スイッチ１５の操作つまみ１５ａが露出している。
【００４１】
なお、図１（Ａ）及び図１（Ｂ）には、次の第４の実施形態における複数の第２スイッチ１５が破線で示されており、第３の実施形態における第２スイッチ１５は、図示を省略している。
【００４２】
而して、第３の実施形態の電力線搬送通信用配線器具Ａ３は、第１及び第２の実施形態の電力線搬送通信用配線器具Ａ１の作用効果に加えて、第２スイッチ１５がフィルタ回路１３に並列に接続されて設けられているので、一対の刃受け２、２に通信機器が接続された場合に、複数対の刃受け２、２がフィルタ回路１３を介せず上記電力線搬送通信用モデムに接続されるように第２スイッチ１５を切り換えることで、当該通信機器とＰＬＣが可能となる。
【００４３】
次に、別の実施形態について説明する。
（第４の実施形態）
図５は、第４の実施形態における電力線搬送通信用配線器具の回路構成を示す回路ブロック図である。第４の実施形態における電力線搬送通信用配線器具Ａ４の基本構成は、第２の実施形態の電力線搬送通信用配線器具Ａ２とほぼ共通であるから、共通の構成要素には同一の符号を付してその説明を省略する。
【００４４】
第４の実施形態は、一対の刃受け２、２がフィルタ回路１３を介して上記電力線搬送通信用モデムに接続されるかフィルタ回路１３を介せず上記電力線搬送通信用モデムに接続されるかを切り換える第２スイッチ１５が複数対の刃受け２、２ごとに設けられていることに特徴がある。
【００４５】
複数の第２スイッチ１５は、図５に示すように、フィルタ回路１３に並列に接続されるように、複数対の刃受け２、２のそれぞれに対応して設けられている。各第２スイッチ１５は、当該第２スイッチに対応する一対の刃受け２、２がフィルタ回路１３を迂回して、第１スイッチ１４の電源ケーブル４側で、電源ケーブル４を介して電力線に接続される一対の電路に接続されている。各第２スイッチ１５は、図１（Ａ）及び図１（Ｂ）に破線で示すように、当該第２スイッチに対応する一対の刃受け２、２との対応関係が視覚的に分かるように、ハウジング１、１’の表面における当該第２スイッチ１５に対応する一対の刃受け２、２の栓刃挿入口２ａの近傍に第２スイッチ１５の操作つまみ１５ａがそれぞれ露出している。
【００４６】
而して、第４の実施形態の電力線搬送通信用配線器具Ａ４は、第１及び第２の実施形態の電力線搬送通信用配線器具Ａ１の作用効果に加えて、第２スイッチ１５が複数対の刃受け２ごとに設けられているので、一対の刃受け２ごとに当該一対の刃受け２がフィルタ回路１３を介して上記電力線搬送通信用モデムに接続されるかフィルタ回路１３を介せず上記電力線搬送通信用モデムに接続されるかを切り換えることができる。このため、第４の実施形態の電力線搬送通信用配線器具Ａ４は、一対の刃受け２に通信機器が接続された場合に、当該一対の刃受け２がフィルタ回路１３を介せず上記電力線搬送通信用モデムに接続されるように当該一対の刃受け２に対応する第２スイッチ１５を切り換えることで、当該通信機器とＰＬＣが可能となる。さらに、他の一対の刃受け２に機器が接続された場合に、当該他の一対の刃受け２がフィルタ回路１３を介して上記電力線搬送通信用モデムに接続されるように当該他の一対の刃受け２に対応する第２スイッチ１５を切り換えることで、当該機器で生じたノイズが当該他の一対の刃受け２を介して上記電力線搬送用通信モデムへ流入することが抑制可能となる。
【００４７】
次に、別の実施形態について説明する。
（第５の実施形態）
図６は、第５の実施形態における電力線搬送通信用配線器具の外観構成を示す斜視図である。図７は、第５の実施形態における電力線搬送通信用配線器具の回路構成を示す回路ブロック図である。図７の上段は、通信ブロックの回路構成を示し、図７の下段は、タップブロックの回路構成を示す。
【００４８】
第５の実施形態の電力線搬送通信用配線器具Ａ５は、図６に示すように通信ブロックＡＢとタップブロックＡＣとで構成される。
【００４９】
タップブロックＡＣは、略箱形の合成樹脂成型品からなるケース３０内に複数対（図６に示す例では５対）の刃受け３１、３１が収納され、先端に電源プラグ３２ａが付設された電源ケーブル３２がケース３０の後端面から引き出されると共に、ケース３０の前端面並びに上面には複数対の刃受け３１、３１に対応する複数対（この図６に示す例では５対）の栓刃挿入口３１ａ、３１ａが設けられている。
【００５０】
一方、通信ブロックＡＢは、長手方向に直交する断面形状及び寸法がタップブロックＡＣのケース３０と共通し且つタップブロックＡＣのケース３０よりも長手方向の寸法を短くした合成樹脂成型品からなるハウジング４０を備え、ハウジング４０の長手方向一端面から一対の栓刃４１、４１が突出し、ハウジング４０の長手方向他端面にはモジュラジャック３の差込口３ａが露出している。
【００５１】
図７において、タップブロックＡＣは、電源ケーブル４を介して電力線に接続される一対の電路に、互いに並列に接続された複数対の刃受け３１、３１（図７に示す例では５対）が接続されている。そして、この互いに並列に接続された複数対の刃受け３１、３１と電源ケーブル４との間に、ＰＬＣの通信帯域を遮断するためのフィルタ回路１３が介設され、さらに、一対の刃受け３１、３１がフィルタ回路１３を介して上記一対の電路に接続されるかフィルタ回路１３を介せず上記一対の電路に接続されるかを切り換える複数の第２スイッチ１５が複数対の刃受け３１、３１ごとに設けられている。即ち、複数の第２スイッチ１５は、図７に示すように、フィルタ回路１３に並列に接続されるように、複数対の刃受け３１、３１のそれぞれに対応して設けられている。このような構成のタッププラグＡＣは、電源プラグ３２ａを壁面に配設されたコンセントに差込接続することで図７に示す例では５対の刃受け３１、３１が電力線に対して並列に接続される。
【００５２】
また、通信ブロックＡＢは、第１の実施形態の電力線搬送通信用配線器具Ａ１と同様に電源部５、結合回路６、送受信部７、モデム８、ＬＡＮコントローラ９、表示回路１１、コモンモードチョークコイル１２及び第１スイッチ１４を具備し、一対の栓刃４１、４１に接続された電路に、直列に接続された第１スイッチ１４及びコモンモードチョークコイル１２を介して、結合回路６が接続されるとともに電源部５が接続されている。ここで、栓刃４１、４１を除く、通信ブロックＡＢにおける電源部５、結合回路６、送受信部７、モデム８、ＬＡＮコントローラ９、表示回路１１、コモンモードチョークコイル１２及び第１スイッチ１４の回路構成は、第１の実施形態と共通であるから詳しい説明は、省略する。
【００５３】
而して、第５の実施形態の電力線搬送通信用配線器具Ａ５は、通信ブロックＡＢの栓刃４１、４１をタップブロックＡＣの先端面の栓刃挿入口３１ａ、３１ａに挿入してケース３０内の刃受け３１、３１に接続することで通信ブロックＡＢに給電され、第１の実施形態と同様にモジュラジャック３に接続される通信ケーブルを介してコンピュータ等の通信機器によりＰＬＣを行うことができる。しかも、ＰＬＣを行わない場合にはタップブロックＡＣから通信ブロックＡＢを切り離しておくことによって、タップブロックＡＣを通常のテーブルタップとして使用することができる。そして、タップブロックＡＣに通信ブロックＡＢが接続された場合に、タップブロックＡＣに複数対の刃受け３１、３１を備えるため複数対の刃受け３１、３１を介して家庭電化製品やコンピュータ等の他の機器に給電することができ、通信ブロックＡＢにコモンモードチョークコイル１２を備えるため電力線搬送通信用モデムで生じたコモンモードノイズがタップブロックＡＣにおける電源ケーブル３２や電力線へ流出することが抑制されて輻射ノイズが低減され、また、タップブロックＡＣにフィルタ回路１３を備えるため他の機器が刃受け３１、３１を介して接続された場合に当該他の機器で生じたノイズが一対の刃受け３１、３１を介して電力線搬送用通信モデムへ流入することが抑制される。このため、第５の実施形態の電力線搬送通信用配線器具Ａ５は、他の機器の電源を確保しつつノイズを低減して良好にＰＬＣを行うことができる。
【００５４】
次に、別の実施形態について説明する。
（第６の実施形態）
図８は、第６の実施形態における電力線搬送通信用配線器具の外観構成を示す斜視図である。図９は、第６の実施形態における電力線搬送通信用配線器具の回路構成を示す回路ブロック図である。図１０は、第６の実施形態における他の態様の電力線搬送通信用配線器具の外観構成を示す斜視図である。
【００５５】
第６の実施形態における電力線搬送通信用配線器具Ａ６の基本構成は、第１の実施形態の電力線搬送通信用配線器具Ａ１とほぼ共通であるから、共通の構成要素には同一の符号を付して説明を省略する。
【００５６】
第６の実施形態は、上記電力線搬送通信モデムと通信機器とのインタフェースとして、第１の実施形態における１００ＢＡＳＥ−ＴＸの代わりにＵＳＢ（Universal Serial Bus）を用いる点に特徴がある。
【００５７】
図８に示すようにハウジング１の先端面には、モジュラジャック３の差込口３ａの代わりに、通信ケーブル（本実施形態ではＵＳＢケーブル）の先端に付設されているＵＳＢコネクタの差込側（以下、ＵＳＢプラグと呼ぶ。）が挿抜自在に接続されるＵＳＢコネクタの受け側（以下、ＵＳＢジャックと呼ぶ）１６の差込口１６ａが露出している。また、図９に示すようにＵＳＢジャック１６に接続される通信ケーブル（ＵＳＢケーブル）を介して通信機器との間でＵＳＢの規格に準拠してデータ伝送を行うためのＵＳＢコントローラ１７がＬＡＮコントローラ９の代わりに設けてある。
【００５８】
而して、第６の実施形態の電力線搬送通信用配線器具Ａ６は、第１の実施形態の電力線搬送通信用配線器具Ａ１の作用効果に加えて、電力線搬送通信用配線器具Ａ６のＵＳＢジャック１６とパーソナルコンピュータのＵＳＢジャックをＵＳＢケーブルで接続すれば、パーソナルコンピュータ同士でＵＳＢケーブルを介してＰＬＣを行うことができる。
【００５９】
なお、図３乃至図５に示すように第２乃至第４の実施形態におけるモジュラジャック３及びＬＡＮコントローラ９をそれぞれＵＳＢジャック１６とＵＳＢコントローラ１７に置き換えてもよい。あるいは、図１０に示すように、第５の実施形態における通信ブロックＡＢのモジュラジャック３とＬＡＮコントローラ９をそれぞれＵＳＢジャック１６とＵＳＢコントローラ１７に置き換えて、電力線通信用配線器具Ａ６を通信ブロックＡＢとタップブロックＡＣとで構成してもよい。
【００６０】
次に、別の実施形態について説明する。
（第７の実施形態）
図１１は、第７の実施形態における電力線搬送通信用配線器具の外観構成を示す斜視図である。図１１（Ａ）は、アンテナを起立した状態の斜視図、図１１（Ｂ）は、アンテナを伏せた状態の斜視図である。図１２は、第７の実施形態における電力線搬送通信用配線器具の回路構成を示す回路ブロック図である。
【００６１】
第７の実施形態における電力線搬送通信用配線器具Ａ７の基本構成は、第１の実施形態の電力線搬送通信用配線器具Ａ１とほぼ共通であるから、共通の構成要素には同一の符号を付して説明を省略する。
【００６２】
第７の実施形態は、上記電力線搬送通信モデムと通信機器とのインタフェースとして、第１の実施形態における１００ＢＡＳＥ−ＴＸの代わりにＩＥＥＥ  ８０２．１１ｂ／ｇ／ａ等の規格に準拠した無線ＬＡＮを用いる点に特徴がある。
【００６３】
図１１に示すようにハウジング１の先端部側面には、電波を媒体とする無線信号を送受信するためのアンテナ１８が起立した状態（図１１（Ａ）参照）と伏せた状態（図１１（Ｂ）参照）との間で回動自在に設けられている。また、図１２に示すようにＩＥＥＥ  ８０２．１１ｂ／ｇ／ａ等の規格に準拠した通信方式でアンテナ１８を介したデータ伝送を行うための無線ＬＡＮコントローラ１９がＬＡＮコントローラ９の代わりに設けてある。
【００６４】
而して、第７の実施形態の電力線搬送通信用配線器具Ａ７は、第１の実施形態の電力線搬送通信用配線器具Ａ１の作用効果に加えて、電力線搬送通信用配線器具Ａ７は、同じ無線ＬＡＮの規格に準拠した通信機器との間で電波を媒体とする無線通信を行うことができ、ＬＡＮケーブルなどの通信ケーブルが不要になるという利点がある。
【００６５】
なお、図３乃至図５に示すように第２乃至第４の実施形態におけるモジュラジャック３及びＬＡＮコントローラ９をそれぞれアンテナ１８と無線ＬＡＮコントローラ１９に置き換えてもよい。あるいは、図６に示す第５の実施形態における通信ブロックＡＢのモジュラジャック３とＬＡＮコントローラ９をそれぞれアンテナ１８と無線ＬＡＮコントローラ１９に置き換えて、電力線通信用配線器具Ａ７を通信ブロックＡＢとタップブロックＡＣとで構成してもよい。
【００６６】
次に、別の実施形態について説明する。
（第８の実施形態）
図１３は、第８の実施形態における電力線搬送通信用配線器具の外観構成を示す斜視図である。図１４は、第８の実施形態における電力線搬送通信用配線器具の回路構成を示す回路ブロック図である。
【００６７】
第８の実施形態における電力線搬送通信用配線器具Ａ８の基本構成は、第１の実施形態の電力線搬送通信用配線器具Ａ１とほぼ共通であるから、共通の構成要素には同一の符号を付して説明を省略する。
【００６８】
第８の実施形態は、上記電力線搬送通信モデムと通信機器とのインタフェースとして、第１の実施形態における１００ＢＡＳＥ−ＴＸの代わりに赤外光を媒体とする赤外線通信を用いる点に特徴がある。
【００６９】
図１３に示すようにハウジング１の先端部側面には、赤外光を発する赤外線発光部２０が設けられている。また、図１４に示すように赤外線発光部２０を制御し、ＩｒＤＡ等の赤外線通信の規格に準拠した赤外線通信を行うための赤外線通信コントローラ２１がＬＡＮコントローラ９の代わりに設けてある。
【００７０】
而して、第８の実施形態の電力線搬送通信用配線器具Ａ８は、第１の実施形態の電力線搬送通信用配線器具Ａ１の作用効果に加えて、電力線搬送通信用配線器具Ａ８は、同じ赤外線通信の規格に準拠した通信機器との間で赤外光を媒体とする無線通信を行うことができ、ＬＡＮケーブル等の通信ケーブルが不要になるという利点がある。また、通信機器とのデータ通信だけでなく、赤外線通信によって送信される制御コマンドを用いて照明器具や空調機器などの動作を遠隔制御することも可能である。
【００７１】
なお、図３乃至図５に示すように第２乃至第４の実施形態におけるモジュラジャック３及びＬＡＮコントローラ９をそれぞれ赤外線発光部２０と赤外線通信コントローラ２１に置き換えてもよい。あるいは、図６に示す第５の実施形態における通信ブロックＡＢのモジュラジャック３とＬＡＮコントローラ９をそれぞれ赤外線発光部２０と赤外線通信コントローラ２１に置き換えて、電力線通信用配線器具Ａ８を通信ブロックＡＢとタップブロックＡＣとで構成してもよい。
【００７２】
そして、第１乃至第８の実施形態において、フィルタ回路１３は、コモンモードノイズ及びノーマルモードノイズを遮断するように構成されてもよい。例えば、フィルタ回路１３は、コモンモードノイズを遮断するためのコモンモードチョークコイルと、ＰＬＣの周波数帯域を遮断するためのフィルタ回路とが直列に接続されて構成される。このように構成されることによって、電力線通信用配線器具Ａ１〜Ａ８は、フィルタ回路１３がコモンモードノイズ及びノーマルモードノイズを遮断するので、他の機器が一対の刃受け２、２：３１、３１を介して接続された場合に当該他の機器で生じたコモンモードノイズ及びノーマルモードノイズが当該一対の刃受け２、２：３１、３１を介して上記電力線搬送用通信モデムへ流入することが抑制される。
【００７３】
本発明を表現するために、上述において図面を参照しながら実施形態を通して本発明を適切且つ十分に説明したが、当業者であれば上述の実施形態を変更及び/又は改良することは容易に為し得ることであると認識すべきである。従って、当業者が実施する変更形態又は改良形態が、請求の範囲に記載された請求項の権利範囲を離脱するレベルのものでない限り、当該変更形態又は当該改良形態は、当該請求項の権利範囲に包括されると解釈される。
【図面の簡単な説明】
【００７４】
【図１】実施形態における電力線搬送通信用配線器具の外観構成を示す斜視図である。
【図２】第１の実施形態における電力線搬送通信用配線器具の回路構成を示す回路ブロック図である。
【図３】第２の実施形態における電力線搬送通信用配線器具の回路構成を示す回路ブロック図である。
【図４】第３の実施形態における電力線搬送通信用配線器具の回路構成を示す回路ブロック図である。
【図５】第４の実施形態における電力線搬送通信用配線器具の回路構成を示す回路ブロック図である。
【図６】第５の実施形態における電力線搬送通信用配線器具の外観構成を示す斜視図である。
【図７】第５の実施形態における電力線搬送通信用配線器具の回路構成を示す回路ブロック図である。
【図８】第６の実施形態における電力線搬送通信用配線器具の外観構成を示す斜視図である。
【図９】第６の実施形態における電力線搬送通信用配線器具の回路構成を示す回路ブロック図である。
【図１０】第６の実施形態における他の態様の電力線搬送通信用配線器具の外観構成を示す斜視図である。
【図１１】第７の実施形態における電力線搬送通信用配線器具の外観構成を示す斜視図である。
【図１２】第７の実施形態における電力線搬送通信用配線器具の回路構成を示す回路ブロック図である。
【図１３】第８の実施形態における電力線搬送通信用配線器具の外観構成を示す斜視図である。
【図１４】第８の実施形態における電力線搬送通信用配線器具の回路構成を示す回路ブロック図である。
【符号の説明】
【００７５】
１、１’  ハウジング
２、３１  刃受け
２ａ、３１ａ  栓刃挿入口
３  モジュラジャック
３ａ  差込口
４  電源ケーブル
５  電源部
６  結合回路
７  送受信部
８  モデム
９  ＬＡＮコントローラ
１０  制御回路
１２  コモンモードチョークコイル
１３  フィルタ回路
１４  第１スイッチ
１５  第２スイッチ
１６  ＵＳＢジャック
１７  ＵＳＢコントローラ
１８  アンテナ
１９  無線ＬＡＮコントローラ
２０  赤外線発光部
２１  赤外線通信コントローラ
【図１】
2008072749.tif 000003
【図２】
2008072749.tif 000004
【図３】
2008072749.tif 000005
【図４】
2008072749.tif 000006
【図５】
2008072749.tif 000007
【図６】
2008072749.tif 000008
【図７】
2008072749.tif 000009
【図８】
2008072749.tif 000010
【図９】
2008072749.tif 000011
【図１０】
2008072749.tif 000012
【図１１】
2008072749.tif 000013
【図１２】
2008072749.tif 000014
【図１３】
2008072749.tif 000015
【図１４】
2008072749.tif 000016
【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
先端に付設された電源プラグをコンセントに差込接続することで建物に配線された電力線と接続される電源ケーブルと、
前記電源ケーブルが内部に引き込まれるハウジングと、
前記ハウジング内に収納され、前記電源ケーブルを介して前記電力線に接続される一対の電路と、
前記ハウジング内に収納されると共に前記一対の電路に接続されるコモンモードチョークコイルと、
前記ハウジング内に収納され、前記一対の電路に前記コモンモードチョークコイルを介して接続される商用周波数の電力波形に商用周波数よりも高い周波数の電力線搬送通信の通信信号を重畳する結合回路を含み、前記電力線を介して前記電力線搬送通信の通信信号を変復調する電力線搬送通信用モデムと、
前記ハウジング内に収納され、前記電力線搬送通信用モデムと通信機器とのインタフェースを行う通信インタフェースと、
前記ハウジングの表面に設けられ、前記通信機器と前記通信インタフェースとを接続する通信ケーブルが挿抜自在に挿着されるコネクタと、
前記ハウジング内に収納されると共に前記一対の電路に接続され、前記電力線搬送通信の通信帯域を遮断するためのフィルタ回路と、
前記ハウジング内に収納されると共に前記一対の電路に前記フィルタ回路を介して接続される、互いに並列に接続された複数対の刃受けとを備え、
前記コモンモードチョークコイルは、前記電力線搬送通信用モデムのコモンモードノイズを遮断し、
前記フィルタ回路は、コモンモードノイズ及びノーマルモードノイズを遮断し、
他の機器の電源プラグの栓刃を挿入して前記刃受けに接続するための複数対の栓刃挿入口がハウジングの表面に設けられたこと
を特徴とする電力線搬送通信用配線器具。
【請求項２】
前記電源ケーブルと前記コモンモードチョークコイルとの間に介設され、前記電源ケーブルから前記電力線搬送通信用モデムへの給電をオンオフするための第１スイッチをさらに備えること
を特徴とする請求項１に記載の電力線搬送通信用配線器具。
【請求項３】
前記複数対の刃受けが前記フィルタ回路を介して前記電力線搬送通信用モデムに接続されるか前記フィルタ回路を介せず前記電力線搬送通信用モデムに接続されるかを切り換える第２スイッチをさらに備えること
を特徴とする請求項１又は請求項２に記載の電力線搬送通信用配線器具。
【請求項４】
前記第２スイッチは、前記複数対の刃受けごとに設けられていること
を特徴とする請求項３に記載の電力線搬送通信用配線器具。
【請求項５】
前記電力線搬送通信は、２ＭＨｚ〜３０ＭＨｚの周波数帯の通信信号を用いて通信を行う高速電力線搬送通信であること
を特徴とする請求項１乃至請求項４の何れか１項に記載の電力線搬送通信用配線器具。
【手続補正２】
【補正対象書類名】明細書
【補正対象項目名】０００３
【補正方法】変更
【補正の内容】
【０００３】
ところで、従来より給電用の配線（電力線）を利用してデータ通信を行う電力線搬送通信（Power Line Communication、以下、「ＰＬＣ」と略記する。）が提案されているが、かかるＰＬＣには、商用周波数の電力波形に商用周波数よりも高い周波数のＰＬＣの通信信号を重畳して送信すると共にこの電力波形からこの高い周波数のＰＬＣの通信信号を分離して受信する装置（ＰＬＣモデム）が必要であり、このようなＰＬＣモデムは、電源コードを介して壁面に設けられたコンセントに接続されるとともに通信ケーブルを介してコンピュータ等の通信機器に接続される。しかしながら、ＰＬＣモデムがコンセントを占有してしまうと、コンピュータや他の機器がコンセントを利用できなくなるため、その電源の供給を受けることが困難になってしまう。
【手続補正３】
【補正対象書類名】明細書
【補正対象項目名】０００６
【補正方法】変更
【補正の内容】
【０００６】
本発明は、上記事情に鑑みてなされたものであり、他の機器の電源を確保しつつノイズを低減して良好にＰＬＣが可能である電力線搬送通信用配線器具を提供することを目的とする。
【手続補正４】
【補正対象書類名】明細書
【補正対象項目名】０００７
【補正方法】変更
【補正の内容】
【０００７】
本発明者は、種々検討した結果、上記目的は、以下の本発明により達成されることを見出した。即ち、本発明の一態様にかかる電力線搬送通信用配線器具は、先端に付設された電源プラグをコンセントに差込接続することで建物に配線された電力線と接続される電源ケーブルと、前記電源ケーブルが内部に引き込まれるハウジングと、前記ハウジング内に収納され、前記電源ケーブルを介して前記電力線に接続される一対の電路と、前記ハウジング内に収納されると共に前記一対の電路に接続されるコモンモードチョークコイルと、前記ハウジング内に収納され、前記一対の電路に前記コモンモードチョークコイルを介して接続される商用周波数の電力波形に商用周波数よりも高い周波数の電力線搬送通信の通信信号を重畳する結合回路を含み、前記電力線を介して前記電力線搬送通信の通信信号を変復調する電力線搬送通信用モデムと、前記ハウジング内に収納され、前記電力線搬送通信用モデムと通信機器とのインタフェースを行う通信インタフェースと、前記ハウジングの表面に設けられ、前記通信機器と前記通信インタフェースとを接続する通信ケーブルが挿抜自在に挿着されるコネクタと、前記ハウジング内に収納されると共に前記一対の電路に接続され、前記電力線搬送通信の通信帯域を遮断するためのフィルタ回路と、前記ハウジング内に収納されると共に前記一対の電路に前記フィルタ回路を介して接続される、互いに並列に接続された複数対の刃受けとを備え、前記コモンモードチョークコイルは、前記電力線搬送通信用モデムのコモンモードノイズを遮断し、前記フィルタ回路は、コモンモードノイズ及びノーマルモードノイズを遮断し、他の機器の電源プラグの栓刃を挿入して前記刃受けに接続するための複数対の栓刃挿入口がハウジングの表面に設けられたことを特徴とする。